(57)【要約】【課題】操作者に対する利便性を向上する。【解決手段】操作装置１０では、操作ダイヤル５０の下側にタッチパッド７０が配置されており、タッチパッド７０が、平面視で操作ダイヤル５０とラップしている。また、タッチパッド７０は、液晶ディスプレイを有する光学式のタッチパッドとして構成されている。このため、タッチパッド７０が、操作ダイヤル５０に対して照明用のパネルとして機能して、操作ダイヤル５０を下側から照明する。これにより、操作ダイヤル５０がタッチパッド７０によって下側から照明されると、操作ダイヤル５０の外周部が浮かび上がるようになり、操作ダイヤル５０の視認性が向上する。したがって、操作者に対する利便性を向上することができる。【選択図】図１
2019096407.tif 000002
【特許請求の範囲】
【請求項１】
側面視で基端部から先端部側へ向かうに従い上側に傾斜して延在されたパームレストと、
前記パームレストの先端部の下側に配置され、上下方向を軸方向として前記パームレストに回転可能に連結されると共に、平面視で外周部の一部が前記パームレストの先端部に対して露出されている操作部材と、
前記操作部材の下側に配置され、平面視で前記操作部材とラップすると共に、前記操作部材を下側から照明する照明パネルと、
を備えた操作装置。
【請求項２】
前記照明パネルが、光学式のタッチパッドとして構成されている請求項１に記載の操作装置。
【請求項３】
前記照明パネルには、操作者に操作を促すためのアイコンが表示され、
平面視で、前記アイコンが前記操作部材とラップしない位置に配置されている請求項２に記載の操作装置。
【請求項４】
前記操作部材における上下方向の厚みが、上下方向における前記操作部材と前記照明パネルとの間の間隙と比べて大きく設定されている請求項２又は請求項３に記載の操作装置。
【請求項５】
平面視で、前記操作部材の外周部が、前記パームレストの先端部に対して、幅方向外側へ突出されている請求項１〜請求項４の何れか１項に記載の操作装置。
【請求項６】
平面視で、前記操作部材の全体が前記照明パネルにラップしている請求項１〜請求項５の何れか１項に記載の操作装置。
【発明の詳細な説明】
【技術分野】
【０００１】
本発明は、操作装置に関する。
【背景技術】
【０００２】
下記特許文献１に記載の車両用遠隔操作デバイスでは、押圧操作、回転操作、傾倒操作可能に構成された操作ノブを有している。また、車両用遠隔操作デバイスは、操作者の手を載置するパームレストを有しており、パームレストの先端部が操作ノブの上側に配置されている。このため、操作者がパームレスト上に手を載置した状態で操作のノブを操作することができる。
【先行技術文献】
【特許文献】
【０００３】
【特許文献１】特許５６３３８１９号公報
【発明の概要】
【発明が解決しようとする課題】
【０００４】
しかしながら、上記車両用遠隔操作デバイスでは、操作者側から見てパームレストが操作ノブを覆うように配置されているため、操作ノブの位置を把握することが困難となる。特に、夜間では、操作ノブの位置を把握することが一層困難となる。これにより、操作者に対する利便性が低下する虞がある。
【０００５】
本発明は、上記事実を考慮して、操作者に対する利便性を向上することができる操作装置を提供することを目的とする。
【課題を解決するための手段】
【０００６】
形態１：本発明の１又はそれ以上の実施形態は、側面視で基端部から先端部側へ向かうに従い上側に傾斜して延在されたパームレストと、前記パームレストの先端部の下側に配置され、上下方向を軸方向として前記パームレストに回転可能に連結されると共に、平面視で外周部の一部が前記パームレストの先端部に対して露出されている操作部材と、前記操作部材の下側に配置され、平面視で前記操作部材とラップすると共に、前記操作部材を下側から照明する照明パネルと、を備えた操作装置である。
【０００７】
形態２：本発明の１又はそれ以上の実施形態は、前記照明パネルが、光学式のタッチパッドとして構成されている操作装置である。
【０００８】
形態３：本発明の１又はそれ以上の実施形態は、前記照明パネルには、操作者に操作を促すためのアイコンが表示され、平面視で、前記アイコンが前記操作部材とラップしない位置に配置されている操作装置である。
【０００９】
形態４：本発明の１又はそれ以上の実施形態は、前記操作部材における上下方向の厚みが、上下方向における前記操作部材と前記照明パネルとの間の間隙と比べて大きく設定されている操作装置である。
【００１０】
形態５：本発明の１又はそれ以上の実施形態は、平面視で、前記操作部材の外周部が、前記パームレストの先端部に対して、幅方向外側へ突出されている操作装置である。
【００１１】
形態６：本発明の１又はそれ以上の実施形態は、平面視で、前記操作部材の全体が前記照明パネルにラップしている操作装置である。
【発明の効果】
【００１２】
本発明の１又はそれ以上の実施形態によれば、操作者に対する利便性を向上することができる。
【図面の簡単な説明】
【００１３】
【図１】本実施の形態に係る操作装置の要部を示す側断面図（図２の１−１線断面図）である。
【図２】本実施の形態に係る操作装置を示す平面図である。
【図３】図２に示される操作装置を後斜め左から見た斜視図である。
【発明を実施するための形態】
【００１４】
以下、図面を用いて、本実施の形態に係る操作装置１０について説明する。図２に示されるように、操作装置１０は、車両（自動車）のセンターコンソール８０に設置されて、車載用機器を操作する装置として構成されている。そして、図面において適宜示される矢印ＵＰ、矢印ＦＲ、矢印ＲＨは、それぞれ操作装置１０の上側、前側、右側を示しており、操作装置１０の上側、前側、右側が、車両の車両上側、車両前側、車両右側（車幅方向一方側）にそれぞれ一致している。以下の説明において、上下、前後、左右の方向を用いて説明するときには、特に断りのない限り、操作装置１０の上側、前側、右側を示している。
【００１５】
図１〜図３に示されるように、操作装置１０は、ベースパネル２０と、操作ダイヤルユニット３０と、制御基板６０と、「照明パネル」としてのタッチパッド７０と、を含んで構成されている。そして、詳細については後述するが、操作装置１０は、操作ダイヤルユニット３０の操作ダイヤル５０を回転させる回転操作と、タッチパッド７０に対する入力操作と、を行える構成になっている。以下、操作装置１０の各構成について説明する。
【００１６】
（ベースパネル２０について）
ベースパネル２０は、上下方向を板厚方向とした略矩形板状に形成されている。そして、ベースパネル２０が、車両のセンターコンソール８０の設置孔８０Ａ内に配置されて、図示しない位置において、センターコンソール８０に固定されている。そして、ベースパネル２０がセンターコンソール８０に設置された状態では、ベースパネル２０の上面が、センターコンソール８０の上面と面一に配置されている。
【００１７】
また、ベースパネル２０の幅方向中央部には、操作者の手を載置するためのパームレスト２２が一体に形成されている。このパームレスト２２は、左側から見た側面視で、前方側へ開放された略Ｊ字形状に形成されて、ベースパネル２０から上側へ突出している。具体的には、パームレスト２２は、ベースパネル２０の後部における幅方向中央部において、ベースパネル２０から上側へ隆起された基部２２Ａ（基端部）と、基部２２Ａの上端部から前方側へ延出されたレスト部２２Ｂと、を含んで構成されている。
【００１８】
パームレスト２２は、上側から見た平面視で、前後方向を長手方向とする略矩形状に形成されており、パームレスト２２の幅寸法がパームレスト２２の先端側（前端側）へ向かうに従い小さくなるように設定されている。また、レスト部２２Ｂの上面は、側面視で、前側へ向かうに従い上側へ若干傾斜されると共に、上側へ若干凸となるように湾曲している。
【００１９】
また、パームレスト２２は、下側へ開放された凹状に形成されている。このため、レスト部２２Ｂの外周部には、周壁部２２Ｃが形成されており、周壁部２２Ｃがパームレスト２２の基部２２Ａに滑らかに接続されている。さらに、レスト部２２Ｂの先端部には、幅方向中央部において、後述する操作ダイヤル５０を連結するための連結部２２Ｄが一体に形成されている。連結部２２Ｄは、上下方向を軸方向とする略円筒状に形成されて、レスト部２２Ｂから下側へ延出されている。この連結部２２Ｄの後端部には、下側へ開放された切欠部２２Ｅが形成されている。このため、連結部２２Ｄの内部と、連結部２２Ｄに対して後側の空間と、が切欠部２２Ｅによって連通されている。
【００２０】
さらに、ベースパネル２０には、レスト部２２Ｂの開口部を閉塞するサブパネル２４が組付けられている。このサブパネル２４は、左側から見た側面視で、前側へ開放された略Ｊ字形状板状に形成されており、レスト部２２Ｂの開口部を閉塞するように、レスト部２２Ｂの周壁部２２Ｃに組付けられている。また、サブパネル２４の先端部には、幅方向中央部の位置において、円形状の挿通孔２４Ａが貫通形成されており、挿通孔２４Ａは、パームレスト２２の連結部２２Ｄと同軸上に配置されている。そして、パームレスト２２の連結部２２Ｄにおける下端部が、挿通孔２４Ａ内を挿通している。
【００２１】
また、ベースパネル２０には、パームレスト２２の基部２２Ａに対して前側の位置において、後述するタッチパッド７０を露出させるための露出孔２０Ａが貫通形成されている。この露出孔２０Ａは、平面視で矩形状に形成されており、パームレスト２２の先端部２２Ｆ（図２における２点鎖線よりも前側の部分）の下側に配置されている。具体的には、平面視で、パームレスト２２の先端部２２Ｆが、露出孔２０Ａの後部（前後方向の中央から後側の部分）にラップして配置されるように、露出孔２０Ａの位置が設定されている。なお、露出孔２０Ａの外周縁部の一部は、サブパネル２４によって構成されている。また、露出孔２０Ａの幅寸法は、パームレスト２２の幅寸法Ｗよりも大きく設定されており、露出孔２０Ａの幅方向中央部と、パームレスト２２の幅方向中央部との位置が一致している。
【００２２】
（操作ダイヤルユニット３０について）
操作ダイヤルユニット３０は、ダイヤルベース３２と、基板４０と、「操作部材」としての操作ダイヤル５０と、を含んで構成されている。
【００２３】
＜ダイヤルベース３２について＞
ダイヤルベース３２は、下側へ開放された有底円筒状に形成されている。具体的には、ダイヤルベース３２は、上下方向を板厚方向とする円板状のベース板３２Ａと、ベース板３２Ａの外周部から下側へ延出された円筒状の側壁３２Ｂと、を含んで構成されている。ベース板３２Ａには、略円筒状の固定筒部３２Ｃが一体に形成されており、固定筒部３２Ｃは、ベース板３２Ａと同軸上に配置されて、ベース板３２Ａから上側へ延出されている。そして、前述したパームレスト２２の連結部２２Ｄが固定筒部３２Ｃ内に嵌入されて、ダイヤルベース３２がパームレスト２２に固定されている。
【００２４】
また、ダイヤルベース３２の固定筒部３２Ｃの後端部には、上側へ開放された切欠部３２Ｄが形成されている。これにより、パームレスト２２における連結部２２Ｄの切欠部２２Ｅ及びダイヤルベース３２における固定筒部３２Ｃの切欠部３２Ｄによって、連結部２２Ｄの内部と、パームレスト２２における連結部２２Ｄに対して後側の空間と、が連通されている。
【００２５】
ベース板３２Ａの中央部には、固定筒部３２Ｃの径方向内側の位置において、円形状の第１孔部３２Ｅが貫通形成されている。また、ベース板３２Ａには、固定筒部３２Ｃの径方向外側の位置において、後述するフォトインタラプタ４６を配置するための第２孔部３２Ｆが貫通形成されている。
【００２６】
さらに、ベース板３２Ａの外周部には、収容部３２Ｇが一体に形成されており、収容部３２Ｇは、上側へ開放された略有底円筒状に形成されて、ベース板３２Ａから下側に突出している。この収容部３２Ｇには、節度機構３４が収容されている。節度機構３４は、圧縮コイルスプリングとして構成された付勢バネ３６と、球状のボール３８と、を含んで構成されている。付勢バネ３６は、収容部３２Ｇ内に収容されており、付勢バネ３６の下端が、収容部３２Ｇの底壁に当接している。ボール３８は、付勢バネ３６の上側において、収容部３２Ｇ内に上下方向に相対移動可能に収容されて、付勢バネ３６の上端がボール３８に当接されている。これにより、付勢バネ３６の付勢力によってボール３８が上側へ付勢されている。
【００２７】
＜基板４０について＞
基板４０は、上下方向を板厚方向とした略円板状に形成されている。そして、基板４０が、ダイヤルベース３２の内部に下側から挿入されて、基板４０の上面が、ベース板３２Ａの下面に固定されている。基板４０の上面における中央側の部分には、コネクタ４２が設けられており、コネクタ４２は、ダイヤルベース３２におけるベース板３２Ａの第１孔部３２Ｅ内に配置されている。コネクタ４２には、ケーブル４４の一端部が接続されている。このケーブル４４は、例えば、可撓性を有するシート状のフレキシブルケーブルとして構成されている。そして、コネクタ４２から延出されたケーブル４４が、パームレスト２２の切欠部２２Ｅ及びダイヤルベース３２の切欠部３２Ｄを挿通して、パームレスト２２内に配置されて、ケーブル４４の他端部が、後述する制御基板６０に接続されている。
【００２８】
また、基板４０の上面には、ベース板３２Ａの第２孔部３２Ｆに対応する位置において、フォトインタラプタ４６が設けられている。フォトインタラプタ４６は、第２孔部３２Ｆの内部に配置されている。
【００２９】
＜操作ダイヤル５０について＞
操作ダイヤル５０は、上下方向を厚み方向とする中空円板状に形成されて、上下方向に２分割されている。具体的には、操作ダイヤル５０は、操作ダイヤル５０の上部を構成するアッパダイヤル５２と、操作ダイヤル５０の下部を構成するロアダイヤル５４と、を含んで構成されている。
【００３０】
アッパダイヤル５２は、下側へ開放され且つ比較的底の浅い、有底円筒状に形成されており、アッパダイヤル５２の径寸法がダイヤルベース３２の径寸法よりも大きく設定されている。具体的には、アッパダイヤル５２は、上下方向を板厚方向とした略円板状の上壁５２Ａと、上壁５２Ａの外周部から下側へ延出された外周壁５２Ｂと、を含んで構成されている。この外周壁５２Ｂは、下側へ向かうに従い、アッパダイヤル５２の径方向外側に若干傾斜している。上壁５２Ａの中央部には、円筒状の支持部５２Ｃが一体に形成されており、支持部５２Ｃは上壁５２Ａから上側へ延出されている。また、支持部５２Ｃの内部は、上下方向に貫通されており、ダイヤルベース３２の固定筒部３２Ｃが支持部５２Ｃ内に相対回転可能に挿入されている。これにより、アッパダイヤル５２（操作ダイヤル５０）が、ダイヤルベース３２の固定筒部３２Ｃに回転可能に支持されている。
【００３１】
アッパダイヤル５２の上壁５２Ａの径方向外側部分には、ガイドリブ５２Ｄが一体に形成されている。ガイドリブ５２Ｄは、円筒状に形成されて、上壁５２Ａから下側へ延出されている。また、ガイドリブ５２Ｄの内径は、ダイヤルベース３２の側壁３２Ｂの外径よりも僅かに大きく設定されており、ガイドリブ５２Ｄの内部に、ダイヤルベース３２が相対回転可能に配置されている。これにより、アッパダイヤル５２（操作ダイヤル５０）が回転するときには、ガイドリブ５２Ｄ及びダイヤルベース３２によって操作ダイヤル５０をガイドする構成になっている。
【００３２】
また、アッパダイヤル５２の上壁５２Ａには、ガイドリブ５２Ｄの径方向内側の位置において、節度機構３４を構成する節度部５２Ｅが、一体に形成されている。節度部５２Ｅは、平面視でリング状に形成されたリブ形状に形成されており、上壁５２Ａから下側へ突出されている。この節度部５２Ｅの下端部には、複数の節度山（図示省略）が形成されており、当該節度山は節度部５２Ｅの周方向全周に亘って、所定間隔毎に形成されている。そして、節度機構３４のボール３８が、節度部５２Ｅの周方向に隣接する節度山の間に配置されて、付勢バネ３６の付勢力によって節度部５２Ｅに当接されている。これにより、アッパダイヤル５２（操作ダイヤル５０）を付勢バネ３６の付勢力に抗して回転させると、ボール３８が節度山を乗り越えながら、節度部５２Ｅがボール３８に対して相対回転する。このため、操作ダイヤル５０の回転操作時において、操作者にクリック感が付与される構成になっている。
【００３３】
また、アッパダイヤル５２には、基板４０のフォトインタラプタ４６に対応する位置において、検出部５６が設けられている。検出部５６は、略円形のリング状に形成されて、アッパダイヤル５２の上壁５２Ａから下側へ突出されると共に、アッパダイヤル５２と同軸上に配置されている。また、検出部５６には、下側へ開放された複数の切欠部が形成されており、切欠部は、アッパダイヤル５２の周方向全周に亘って所定間隔毎に配置されている。さらに、検出部５６は、フォトインタラプタ４６の図示しない発光素子と受光素子との間に配置されている。そして、発光素子が受光素子へ向けて光を照射し、受光素子が検出部５６の切欠部を通過する光を受光することで、フォトインタラプタ４６が、アッパダイヤル５２の回転角度を検出し、後述する制御部６６に検出信号を出力する構成になっている。これにより、制御部６６が操作ダイヤル５０の回転を検知する構成になっている。
【００３４】
なお、本実施の形態では、操作ダイヤル５０の回転を、フォトインタラプタ４６を用いて検出するようになっている。つまり、操作ダイヤル５０の回転を非接触型のセンサを用いて検出するようになっている。これに代えて、操作ダイヤル５０の回転を、接触型のセンサを用いて検出してもよい。例えば、フォトインタラプタ４６の代わりに、ディテクタスイッチを用いてもよい。また、基板４０に固定接点を設けて、アッパダイヤル５２に可動接点を用いて、操作ダイヤル５０の回転を検知してもよい。
【００３５】
ロアダイヤル５４は、上側へ開放された有底円筒状に形成されている。具体的には、ロアダイヤル５４は、上下方向を板厚方向とした略円板状の下壁５４Ａと、下壁５４Ａの外周部から上側へ延出された外周壁５４Ｂと、を含んで構成されている。この外周壁５４Ｂは、上側へ向かうに従い、ロアダイヤル５４の径方向外側に若干傾斜している。外周壁５４Ｂの上端部には、ロアダイヤル５４の径方向内側且つ上側へ略クランク状に形成された嵌合壁５４Ｃが形成されており、嵌合壁５４Ｃはロアダイヤル５４の周方向全周に亘って延在されている。そして、嵌合壁５４Ｃが、アッパダイヤル５２の外周壁５２Ｂの内側に嵌入されて、ロアダイヤル５４がアッパダイヤル５２に固定されている。
【００３６】
そして、ロアダイヤル５４がアッパダイヤル５２に固定された状態では、操作ダイヤル５０の内部に、ダイヤルベース３２及び基板４０が収容されて、操作ダイヤル５０が、パームレスト２２に回転可能に連結されている。また、この状態では、アッパダイヤル５２の外周壁５２Ｂの下端と、ロアダイヤル５４の外周壁５４Ｂの上端と、の位置が、操作ダイヤル５０の径方向において一致した位置に配置されている。
【００３７】
ここで、操作ダイヤル５０の直径寸法Ｄは、パームレスト２２の先端部２２Ｆにおける幅寸法Ｗよりも大きく設定されている。これにより、平面視において、操作ダイヤル５０の幅方向両端部が、パームレスト２２よりも幅方向外側に突出されている。また、操作ダイヤル５０がパームレスト２２に回転可能に連結された状態では、操作ダイヤル５０の前端部が、パームレスト２２よりも前側に突出されている。すなわち、上側から見て、操作ダイヤル５０の外周部が、操作ダイヤル５０の後端部を除いて、パームレスト２２の外側に配置されて、露出している。
【００３８】
（制御基板６０について）
制御基板６０は、ベースパネル２０の下側において、上下方向を板厚方向と配置されて、図示しない位置において、ベースパネル２０に固定されている。制御基板６０の上面には、コネクタ６２が設けられており、コネクタ６２には、操作ダイヤルユニット３０のケーブル４４の他端部が接続されている。また、制御基板６０の上面には、後述するタッチパッド７０が接続されるコネクタ６４が設けられている。さらに、制御基板６０には、制御部６６が電気的に接続されている。そして、制御部６６によって、操作ダイヤル５０の回転操作及び後述するタッチパッド７０の入力操作を検知する構成になっている。
【００３９】
（タッチパッド７０について）
タッチパッド７０は、液晶ディスプレイと、パッド部と、センサ部と、を含んで構成されたタッチパッドとして構成されている。すなわち、タッチパッド７０が、所謂光学式のタッチパッドとして構成されている。このタッチパッド７０は、上下方向を厚み方向とした略シート状に形成されており、ベースパネル２０の露出孔２０Ａに対応して、ベースパネル２０の下側に隣接して配置されている。これにより、タッチパッド７０の上面が、露出孔２０Ａから操作可能に露出されている。
【００４０】
また、タッチパッド７０のセンサ部は、一例として、静電容量センサとして構成されて、制御基板６０のコネクタ６４に接続されている。また、センサ部は、前後方向及び左右方向に延在された複数の電極を有しており、これら電極が平面視で格子状に配置されている。また、各電極には、制御基板６０から、所定の電圧が印可されている。そして、操作者の指などがタッチパッド７０に接近すると、指周辺における静電容量が変化するため、この静電容量の変化に基づく検出信号をセンサ部が制御基板６０へ出力する構成になっている。これにより、制御部６６が、タッチパッド７０への操作を検知する構成になっている。
【００４１】
また、タッチパッド７０の液晶ディスプレイには、操作者に対する操作を促すための複数（本実施の形態では、３箇所）のアイコン７２（図２参照）が表示される構成になっている。このアイコン７２は、平面視で、パームレスト２２の外側（詳しくは、パームレスト２２に対して前側）に配置されており、パームレスト２２及びアイコン７２が、平面視でラップしないように、アイコン７２が表示される設定になっている。
【００４２】
ここで、タッチパッド７０と操作ダイヤル５０との間の間隙Ｇの上下寸法が、操作ダイヤル５０の厚み寸法（上下寸法）Ｈと比べて小さく設定されている。また、前述のように、操作ダイヤル５０は、上下方向を軸方向としてパームレスト２２の先端部に回転可能に連結されている。このため、タッチパッド７０の後部の上側に操作ダイヤル５０が配置されている。具体的には、平面視で、操作ダイヤル５０の全体がタッチパッド７０にラップするように、タッチパッド７０及び操作ダイヤル５０の相対位置及び大きさが設定されている。
【００４３】
（作用及び効果）
次に本実施の形態の作用及び効果について説明する。
上記のように、構成された操作装置１０では、操作ダイヤル５０がパームレスト２２の先端部の下側に配置されて、上下方向を軸方向としてパームレスト２２に回転可能に連結されている。また、操作ダイヤル５０の外周部は、その後端部を除いて、パームレスト２２の先端部２２Ｆに対して露出されている。
【００４４】
そして、操作ダイヤル５０を回転操作するときには、操作者がパームレスト２２の上に手を載置して、操作ダイヤル５０の外周部を把持する。この状態で、操作者が、操作ダイヤル５０を、節度機構３４の付勢バネ３６の付勢力に抗して回転させる。これにより、操作ダイヤル５０の検出部５６が、基板４０のフォトインタラプタ４６に対して相対変位する。よって、操作ダイヤル５０に対する回転操作を制御部６６によって検知する。
【００４５】
また、操作装置１０には、操作ダイヤル５０の下側の位置において、タッチパッド７０が設けられている。このため、タッチパッド７０を用いて入力操作するときには、操作者がパームレスト２２の上に手を載置した状態で、操作者の指をタッチパッド７０に接近して入力操作を行う。これにより、制御部６６によって、タッチパッド７０に対する入力操作を検知する。
【００４６】
ここで、上述のように、操作ダイヤル５０の下側には、タッチパッド７０が離間して配置されており、タッチパッド７０が平面視で操作ダイヤル５０とラップしている。また、タッチパッド７０は、液晶ディスプレイを有する光学式のタッチパッドとして構成されている。このため、タッチパッド７０が、操作ダイヤル５０に対して照明用のパネルとして機能して、操作ダイヤル５０を下側から照明する。これにより、操作ダイヤル５０がタッチパッド７０によって下側から照明されると、操作ダイヤル５０の外周部が浮かび上がるようになり、操作ダイヤル５０の視認性が向上する。特に、夜間における操作ダイヤル５０の視認性が向上されて、操作者が操作ダイヤル５０の位置を容易に把握することができる。したがって、操作者に対する利便性を向上することができる。
【００４７】
また、操作装置１０では、上述のように、操作ダイヤル５０がパームレスト２２の先端部２２Ｆに回転可能に連結されている。このため、操作ダイヤル５０をパームレスト２２の先端部２２Ｆに近接して配置することができる。これにより、手をパームレスト２２上に載置した操作者が、パームレスト２２に近接配置された操作ダイヤル５０を操作するため、操作ダイヤル５０に操作性を向上することができる。
【００４８】
また、操作装置１０では、上述のように、タッチパッド７０が、光学式のタッチパッドとして構成されている。このため、操作装置１０に対して入力操作を行うタッチパッドを活用して、操作ダイヤル５０を照明することができる。しかも、操作ダイヤル５０の真下にタッチパッド７０を配置したことにより、操作ダイヤル５０の操作と一連の動作でタッチパッド７０を操作することができる。すなわち、操作ダイヤル５０とタッチパッド７０を近接して配置することで、操作者に対する操作性を一層向上することができる。
【００４９】
また、タッチパッド７０には、操作者に操作を促すアイコン７２が表示され、アイコン７２が、平面視で、操作ダイヤル５０とラップしない位置に配置されている。このため、操作者がタッチパッド７０に表示されたアイコン７２を視認しながら、タッチパッド７０に対する操作を行うことができる。このため、操作者に対する利便性を一層向上することができる。
【００５０】
また、タッチパッド７０と操作ダイヤル５０との間の間隙Ｇの上下寸法が、操作ダイヤル５０の上下寸法Ｈと比べて小さく設定されている。このため、上下方向における操作ダイヤル５０とタッチパッド７０との間の間隙Ｇが、過度に大きくなることを抑制しつつ、操作ダイヤル５０をタッチパッド７０に対して上側に離間して配置することができる。これにより、タッチパッド７０に対する操作性を維持しつつ、タッチパッド７０によって操作ダイヤル５０を下側から照明することができる。
【００５１】
また、平面視で、操作ダイヤル５０の外周部が、パームレスト２２の先端部に対して、幅方向両側へ突出されている。このため、平面視で、操作ダイヤル５０の外周部の半分以上をパームレスト２２に対して露出させることができる。これにより、操作ダイヤル５０に対する視認性向上に寄与することができる。
【００５２】
また、平面視で、操作ダイヤル５０の全体がタッチパッド７０にラップしている。このため、操作ダイヤル５０の外周部をタッチパッド７０によって効果的に照明することができる。
【００５３】
なお、本実施の形態では、タッチパッド７０にアイコン７２が表示されるように構成されているが、タッチパッド７０においてアイコン７２を表示しない構成にしてもよい。また、本実施の形態では、タッチパッド７０のアイコン７２が、パームレスト２２の前側に配置されているが、平面視でアイコン７２がパームレスト２２にラップしなければ、アイコン７２の位置を適宜設定してもよい。
【００５４】
また、本実施の形態では、タッチパッド７０と操作ダイヤル５０との間の間隙Ｇの上下寸法が、操作ダイヤル５０の上下寸法Ｈと比べて小さく設定されている。これに代えて、タッチパッド７０と操作ダイヤル５０との間の間隙Ｇの上下寸法を、操作ダイヤル５０の上下寸法Ｈ以上に設定してもよい。
【００５５】
また、本実施の形態では、操作装置１０が、車両のセンターコンソール８０に設置されているが、操作装置１０の設置場所は、車両の仕様等に応じて適宜変更可能である。
【符号の説明】
【００５６】
１０          操作装置
２０          ベースパネル
２０Ａ        露出孔
２２          パームレスト
２２Ａ        基部
２２Ｂ        レスト部
２２Ｃ        周壁部
２２Ｄ        連結部
２２Ｅ        切欠部
２２Ｆ        先端部
２４          サブパネル
２４Ａ        挿通孔
３０          操作ダイヤルユニット
３２          ダイヤルベース
３２Ａ        ベース板
３２Ｂ        側壁
３２Ｃ        固定筒部
３２Ｄ        切欠部
３２Ｅ        第１孔部
３２Ｆ        第２孔部
３２Ｇ        収容部
３４          節度機構
３６          付勢バネ
３８          ボール
４０          基板
４２          コネクタ
４４          ケーブル
４６          フォトインタラプタ
５０          操作ダイヤル（操作部材）
５２          アッパダイヤル
５２Ａ        上壁
５２Ｂ        外周壁
５２Ｃ        支持部
５２Ｄ        ガイドリブ
５２Ｅ        節度部
５４          ロアダイヤル
５４Ａ        下壁
５４Ｂ        外周壁
５４Ｃ        嵌合壁
５６          検出部
６０          制御基板
６２          コネクタ
６４          コネクタ
６６          制御部
７０          タッチパッド（照明パネル）
７２          アイコン
８０          センターコンソール
８０Ａ        設置孔
Ｇ            間隙
【図１】
2019096407.tif 000003
【図２】
2019096407.tif 000004
【図３】
2019096407.tif 000005